(57)【要約】【課題】無線エア・インターフェイスを検出する方法を提供すること。【解決手段】この方法は、少なくとも１つの無線アクセス・タイプを示す情報を受信し、その少なくとも１つの無線アクセス・タイプを示す情報が予想される範囲内にあるかどうかを判定し、その少なくとも１つの無線アクセス・タイプを示す情報が予想される範囲内にあると判定することに対する応答として第１のエア・インターフェイスに関連付けられている少なくとも１つの第１の測定を実行し、その少なくとも１つの無線アクセス・タイプを示す情報が予想される範囲内にないと判定することに対する応答として第２のエア・インターフェイスに関連付けられている少なくとも１つの第２の測定を実行することを含む。【選択図】図４
2006060834.tif 000002
【特許請求の範囲】
【請求項１】
少なくとも１つの無線アクセス・タイプを示す情報を受信することと、
前記少なくとも１つの無線アクセス・タイプを示す前記情報が予想される範囲内にあるかどうかを判定することと、
前記少なくとも１つの無線アクセス・タイプを示す前記情報が前記予想される範囲内にあると判定したことに対する応答として第１のエア・インターフェイスに関連付けられている少なくとも１つの第１の測定を実行することと、
前記少なくとも１つの無線アクセス・タイプを示す前記情報が前記予想される範囲内にないと判定したことに対する応答として第２のエア・インターフェイスに関連付けられている少なくとも１つの第２の測定を実行することとを含む方法。
【請求項２】
前記無線アクセス・タイプを示す前記情報を受信することは、前記無線アクセス・タイプを示す少なくとも１つの情報要素を含む少なくとも１つのメッセージを受信することを含む請求項１に記載の方法。
【請求項３】
前記少なくとも１つの無線アクセス・タイプは、第１および第２の無線アクセス・タイプを含み、前記第１のエア・インターフェイスは前記第１の無線アクセス・タイプに関連付けられ、前記第２のエア・インターフェイスは前記第２の無線アクセス・タイプに関連付けられ、前記無線アクセス・タイプを示す前記情報が前記予想される範囲に含まれるかどうかを判定することは、前記少なくとも１つの無線アクセス・タイプを示す前記情報が前記第１のアクセス・タイプについて予想される範囲内にあるかどうかを判定することを含む請求項１に記載の方法。
【請求項４】
前記少なくとも１つの第２の測定を実行することは、前記少なくとも１つの第２のエア・インターフェイスを検出することを含む請求項１に記載の方法。
【請求項５】
少なくとも１つのトリガ・イベントを示す情報を受信することを含む請求項１に記載の方法。
【請求項６】
少なくとも１つの無線アクセス・タイプを示す情報を提供することと、
前記少なくとも１つの無線アクセス・タイプを示す前記情報が予想される範囲内にある場合に第１のエア・インターフェイスに関連付けられている少なくとも１つの第１の測定を示す情報を受信することと、
前記少なくとも１つの無線アクセス・タイプを示す前記情報が前記予想される範囲内にない場合に第２のエア・インターフェイスに関連付けられている少なくとも１つの第２の測定を示す情報を受信することとを含む方法。
【請求項７】
前記少なくとも１つの無線アクセス・タイプを示す前記情報が前記予想される範囲内にある場合に前記第１のエア・インターフェイスに関連付けられている前記少なくとも１つの第１の測定を示す前記情報を受信することは、前記少なくとも１つの無線アクセス・タイプを示す前記情報が共通パイロット・チャネルに対し予想される範囲内にある場合に前記第１のエア・インターフェイスに関連付けられている前記少なくとも１つの第１の測定を示す前記情報を受信することを含む請求項６に記載の方法。
【請求項８】
前記少なくとも１つの無線アクセス・タイプを示す前記情報が前記予想される範囲内にない場合に前記第２のエア・インターフェイスに関連付けられている前記少なくとも１つの第２の測定を示す情報を受信することは、前記少なくとも１つの無線アクセス・タイプを示す前記情報が共通パイロット・チャネルに対し予想される範囲内にない場合にＢｌｕｅｔｏｏｔｈエア・インターフェイスおよび８０２．１１エア・インターフェイスのうちの少なくとも１つに関連付けられている少なくとも１つの第２の測定を示す情報を受信することを含む請求項６に記載の方法。
【請求項９】
前記第１のエア・インターフェイスに関連付けられている前記少なくとも１つの第１の測定を示す前記情報を受信することは、前記第１のエア・インターフェイスの検出および前記第１のエア・インターフェイスのサービス品質のうちの少なくとも一方を示す情報を受信することを含む請求項６に記載の方法。
【請求項１０】
前記第１および第２の測定を示す前記情報に基づいて前記第１および第２のエア・インターフェイスの間のソフト垂直ハンドオーバーを実行することを含む請求項６に記載の方法。
【発明の詳細な説明】
【技術分野】
【０００１】
本発明は、一般に、通信システムに関するものであり、より具体的には、無線通信システムに関するものである。
【背景技術】
【０００２】
携帯電話システムおよび／またはＢｌｕｅｔｏｏｔｈ対応無線ローカル・エリア・ネットワーク（ＷＬＡＮ）などの無線通信システムにアクセスし、音声およびデータ信号を送信することができる移動端末のリストが近年、劇的に拡大し、とりわけ、携帯電話、パーソナル・データ・アシスタント、グローバル・ポジショニング・システム受信機、ラップトップ・コンピュータ、およびデスクトップ・コンピュータを含む。このリストに載っている移動端末のタイプだけでなく、それらが提供する可能性があるサービスは、増え続けることが予想され、また無線通信システムが急増したことで、ユーザが実質的にいつでも実質的にどこでも途切れることなくそれらのシステムおよび／またはネットワークにアクセスすることが予想されるようになった。
【０００３】
一部は普遍的アクセスに対するこのような需要に応じるため、多くの移動端末がさまざまな異なるシステムおよび／またはネットワークと通信することができる。例えば、ユーザが屋外にいる間に、ユニバーサル移動電話システム（ＵＭＴＳ）プロトコルに従って動作する携帯電話システムにおいて基地局との第１の無線通信リンクを確立することができる。同じ移動端末は、さらに、ユーザがアクセス・ポイントに関連付けられた「ホット・スポット」にいるときにＢｌｕｅｔｏｏｔｈプロトコルに従って動作する無線ローカル・エリア・ネットワークのアクセス・ポイントとの第２の無線通信リンクを確立できる場合がある。例えば、ユーザが第１の基地局に関連付けられた第１のセル内にいる間に、ＵＭＴＳプロトコルに従って動作する第１の携帯電話システムにおいて基地局との第１の無線通信リンクを確立することができる。第２のセル内にいるときに、同じ移動端末は、さらに、Ｇｌｏｂａｌ  Ｓｙｓｔｅｍ  ｆｏｒ  Ｍｏｂｉｌｅ  ｔｅｌｅｃｏｍｍｕｎｉｃａｔｉｏｎｓ（ＧＳＭ）プロトコルに従って動作する第２の基地局との第２の無線通信リンクを確立することもできる。
【０００４】
移動端末は、通常、一方のシステムから他方のシステムへローミングするため、移動端末のハンドオーバーを必要とする。ローミングは、一方の地理的領域から他方の地理的領域へ、一方のサービス・プロバイダから他方のサービス・プロバイダへ、一方のタイプの無線通信システムから他方のタイプの無線通信システムへ、同じシステム内の一方の周波数から他方の周波数へ、といったように移動することを含むことができる。移動端末は、さまざまな理由からローミングを行う。例えば、移動端末は、ユーザが移動端末を携帯して第１の基地局に関連付けられた第１のセルから第２の基地局に関連付けられた第２のセル内に移動した場合に第１の基地局から第２の基地局へのローミングを行うことができる。他の例として、移動端末は、第１の周波数のフェーディングにより第２の周波数に関する第１の周波数での無線通信の品質が低下した場合に第１の周波数から第２の周波数にローミングすることができる。
【０００５】
無線通信プロトコルでは、ハンドオーバーが望ましいおよび／または必要かどうかを判定するために使用できるメッセージおよび測定を定義する。例えば、ＵＭＴＳ標準では、移動端末の移動性に関係する情報は、メッセージ定義の拡張形式である、ＡＳＮ.１符号化に基づくＵＭＴＳ  ＲＲＣプロトコル標準に準拠するＲＲＣ  ＭＥＡＳＵＲＥＭＥＮＴ  ＣＯＮＴＲＯＬメッセージ内に含まれる情報要素を介して移動端末に伝達される。ＲＲＣ  ＭＥＡＳＵＲＥＭＥＮＴ  ＣＯＮＴＲＯＬメッセージ内の情報要素は、移動端末で他のＵＭＴＳ周波数（例えば、移動端末は１つまたは複数の周波数間測定を行わなければならない）、無線相互間アクセス技術（ｉｎｔｅｒ−Ｒａｄｉｏ  Ａｃｃｅｓｓ  Ｔｅｃｈｎｏｌｏｇｙ、ｉｎｔｅｒ−ＲＡＴ）（例えば、移動端末は１つまたは複数のｉｎｔｅｒ−ＲＡＴ測定を行わなければならない）、および／または無線通信に現在使用されている周波数の健全さ（例えば、移動端末は１つまたは複数の周波数内測定を行わなければならない）を監視すべきであることを示すことができる。ほかに、ＵＭＴＳ標準で定義されているＲＲＣ  ＭＥＡＳＵＲＥＭＥＮＴ  ＣＯＮＴＲＯＬメッセージ内の情報要素は、実行される測定のタイプだけでなく、いつ（例えば、イベントを介して）、何回（例えば、周期的報告を介して）、測定報告をＳｅｒｖｉｎｇ  Ｒａｄｉｏ  Ｎｅｔｗｏｒｋ  Ｃｏｎｔｒｏｌｌｅｒ（ＳＲＮＣ）に送り返すかを決定するために使用することができる。
【０００６】
移動端末は、通常、複数のセル上で多数の測定を並行して実行することができる。これらの測定が対象にできるセルのタイプは、アクティブ・セット・セル（ａｃｔｉｖｅ  ｓｅｔ  ｃｅｌｌ）、つまり、ソフト・ハンドオーバーで現在使用されているセル、近接者リスト（ｎｅｉｇｈｂｏｒ  ｌｉｓｔ）から取り出された監視セット・セル（ｍｏｎｉｔｏｒｅｄ  ｓｅｔ  ｃｅｌｌ）、つまり、アクティブ・セットに対する候補であるセル、および検出セット・セル（ｄｅｔｅｃｔｅｄ  ｓｅｔ  ｃｅｌｌ）、つまり、異なる周波数または無線アクセス・タイプであるセルの３つのカテゴリに分けられる。移動端末は、ＲＲＣ  ＭＥＡＳＵＲＥＭＥＮＴ  ＣＯＮＴＲＯＬメッセージなどのメッセージ内の情報要素を使用して、実行される測定の属性を定義する。例えば、ＵＭＴＳ標準では、移動端末は、ＲＲＣ  ＭＥＡＳＵＲＥＭＥＮＴ  ＣＯＮＴＲＯＬメッセージの情報要素内の周波数内セル情報リスト（Ｉｎｔｒａ−Ｆｒｅｑｕｅｎｃｙ  Ｃｅｌｌ  Ｉｎｆｏｒｍａｔｉｏｎ  Ｌｉｓｔ）に格納された測定リストを使用して実行する測定を決定する。
【０００７】
移動端末により実行される測定は、測定の属性に基づいて分類することができる。例えば、ＵＭＴＳ標準では、移動端末により実行される測定は、移動端末に関連付けられたセルに対応する周波数および共通パイロット・チャネル（ＣＰＩＣＨ）に基づいて分類することができる。ＣＰＩＣＨは、通常、チャネル推定を有効にするためにＵＭＴＳで使用される。従来のＣＰＩＣＨでは、あらかじめ定義されたビット列を使用し、３０Ｋｂｐｓの固定速度であり、ＳＦ（拡散係数）は２５６である。ＣＰＩＣＨ値は、通常、ＣＰＩＣＨへの測定報告を識別する際にＲＲＣ  ＭＥＡＳＵＲＥＭＥＮＴ  ＣＯＮＴＲＯＬメッセージ（例えば、ダウンリンクで送信されるメッセージ）内の情報要素およびＲＲＣ  ＭＥＡＳＵＲＥＭＥＮＴ  ＲＥＰＯＲＴメッセージ（例えば、アップリンクで送信される報告メッセージ）内の情報要素に含まれる。測定セルは、さらに、ＣＰＩＣＨを介して識別することも可能である。さらに、ＣＰＩＣＨ上の所望のタイプの報告は、ＲＲＣ  ＭＥＡＳＵＲＥＭＥＮＴ  ＣＯＮＴＲＯＬメッセージ内の情報要素で示されるイベントのタイプにより識別することができる。
【０００８】
図１は、ＣＰＩＣＨ値を設定するために使用できるＲＲＣ  ＭＥＡＳＵＲＥＭＥＮＴ  ＣＯＮＴＲＯＬメッセージの情報要素を通る経路１００を概念的に例示している。例示されている実施形態では、ＡＳＩＮ.１符号化標準により、経路１００は、周波数内セル情報リスト情報要素を含む周波数内測定情報要素から始まる。１つまたは複数のセルに関する情報は、「セル情報」情報要素に含まれる。その後、セルに関連するモードを選択できる。例えば、周波数分割複信（ＦＤＤ）モードを選択できるが、これにより、一次ＣＰＩＣＨ情報情報要素が得られる。表１は、従来の一次ＣＰＩＣＨ情報情報要素を例示している。
【表１】
2006060834.tif 000003
【０００９】
表１に示されているように、セルのＣＰＩＣＨは、通常、範囲０≦ｎ≦５１１の整数値を取るが、ただし、ｎは測定されたセル内で使用される一次スクランブル・コードを示す。「必要」フィールド内のＭＰの値は、これが必須情報要素であることを示す。
【００１０】
測定報告をトリガするイベントは、さらに、ＲＲＣ  ＭＥＡＳＵＲＥＭＥＮＴ  ＣＯＮＴＲＯＬメッセージ内の情報要素内で設定することもできる。ＵＭＴＳ  ＲＲＣプロトコルは、トリガ・イベントの標準集合を定義する。明確にするため、これらの知られている定義は、ここでは繰り返さないが、トリガ・イベントは、通常、以下のようにグループにまとめられる。
・１Ａから１Ｇ−周波数内測定報告をトリガするＦＤＤでのイベント。
・２Ａから２Ｆ−周波数間測定報告をトリガするイベント。
・３Ａから３Ｄ−ＲＡＴ間測定報告をトリガするイベント。
【００１１】
例えば、図３に示されているように、通常のＵＭＴＳの動作では、イベント・トリガ１Ｃは、アクティブ・セット（ＣＰＩＣＨ−３）のメンバのＣＰＩＣＨの測定品質よりも高くなるアクティブ・セット（ＣＰＩＣＨ−４）内にないＣＰＩＣＨの測定品質に対応する。他の例では、イベント・トリガ１Ｄは、現在利用可能な最もよいＣＰＩＣＨ（ＣＰＩＣＨ−１）の測定品質よりも高くなるＣＰＩＣＨ−４の測定品質を指す。トリガ・イベントに続いて、ＲＲＣ  ＭＥＡＳＵＲＥＭＥＮＴ  ＲＥＰＯＲＴメッセージを介して１つまたは複数の測定が送信される。
【００１２】
図２は、ＲＲＣ  ＭＥＡＳＵＲＥＭＥＮＴ  ＲＥＰＯＲＴメッセージの情報要素を通る経路２００を概念的に例示している。例示されている実施形態では、ＡＳＩＮ．１符号化標準により、経路２００は、周波数内測定結果情報要素を含む、測定結果情報要素から始まる。１つまたは複数のセルに関する情報は、セル測定結果情報要素に含まれる。その後、セルに関連するモードを選択できる。例えば、周波数分割複信（ＦＤＤ）モードを選択できるが、これにより、一次ＣＰＩＣＨ情報情報要素が得られる。
【００１３】
その後、ＲＲＣ  ＭＥＡＳＵＲＥＭＥＮＴ  ＲＥＰＯＲＴメッセージ内の情報を使用して、ハンドオーバーが望ましいか、または必要かを決定することができる。例えば、移動端末は、ＲＲＣ  ＭＥＡＳＵＲＥＭＥＮＴ  ＲＥＰＯＲＴメッセージを無線ネットワーク・コントローラ（ＲＮＣ）に送ることができる。次に、無線ネットワーク・コントローラ（ＲＮＣ）内の無線リソース・マネージャ（ＲＲＭ）は、この情報を使用して、移動端末をハンドオーバーするかどうかを決定することができる。ハンドオーバーは、通常、ハード方式または「垂直」方式で実行される。ハード・ハンドオーバーではデータの配送に完全な途切れがある。例えば、ＧＳＭシステムからＵＭＴＳシステムへの垂直ハンドオーバーでは、呼び出しはＧＳＭシステム上で停止され、短時間の遅延の後、ＵＭＴＳシステム上で再確立される。他の例では、ＵＭＴＳシステムの第１の周波数から第２の周波数へのハード・ハンドオーバーでは、呼び出しは、第１の周波数で停止され、ＵＭＴＳシステムの第２の周波数で再確立される。一実施形態では、ＲＡＴ間測定および周波数間測定を使用して、ハードハンドオフが望ましいか、または必要であるかを決定することができる。
【００１４】
従来の無線通信ネットワークは、異なる無線アクセス・タイプのネットワーク間で、ソフト垂直ハンドオーバー、つまり、実質的に連続してデータが供給されるハンドオーバーを実行できない。例えば、従来の無線ネットワーク・コントローラは、ＵＭＴＳネットワークからＢｌｕｅｔｏｏｔｈネットワークへのソフト垂直ハンドオーバーをネゴシエートすることができない。従来の無線通信ネットワークではソフト垂直ハンドオーバーを実行できないことは、少なくとも一部は、異種のネットワークにより形成されるエア・インターフェイスの存在を検出するメカニズムだけでなく、異種のエア・インターフェイス上に形成される通信リンクの品質を測定し比較するメカニズムが存在しないことが原因である。
本発明は、上記の問題のうち１つまたは複数の影響を解消することを対象とする。
【発明の開示】
【発明が解決しようとする課題】
【００１５】
本発明の一実施形態では、無線エア・インターフェイスを検出する方法を提供する。 
【課題を解決するための手段】
【００１６】
この方法は、少なくとも１つの無線アクセス・タイプを示す情報を受信し、その少なくとも１つの無線アクセス・タイプを示す情報が予想される範囲内にあるかどうかを判定し、その少なくとも１つの無線アクセス・タイプを示す情報が予想される範囲内にあると判定することに対する応答として第１のエア・インターフェイスに関連付けられている少なくとも１つの第１の測定を実行し、その少なくとも１つの無線アクセス・タイプを示す情報が予想される範囲内にないと判定することに対する応答として第２のエア・インターフェイスに関連付けられている少なくとも１つの第２の測定を実行することを含む。
本発明は、類似の参照番号は類似の要素を識別する付属の図面とともに以下の説明を参照することにより最もよく理解できる。
【発明を実施するための最良の形態】
【００１７】
本発明はさまざまな修正を加えることができ、また他の形態も可能であるが、特定の実施形態を図面の実施例を用いて示しており、これらについて以下で詳述する。ただし、特定の実施形態の本明細書の説明は本発明を開示されている特定の形態に制限する意図はなく、むしろその反対に、付属の請求項によって定義されているように、発明は本発明の精神と範囲にあるすべての修正、等価物、および代替物を対象とすることは理解されるであろう。
【００１８】
本発明の例示されている実施形態について以下で説明する。わかりやすくするために、本明細書では、実際の実装のすべての特徴について説明はしない。もちろん、そのような実際の実施形態の開発では、実装毎に異なる、システム関連およびビジネス関連の制約条件への適合など、開発者特有の目標を達成するために、さまざまな実装特有の決定を下さなければならない。さらに、そのような開発作業は、複雑で時間のかかるものである場合があるが、それにもかかわらず、本開示の利点を有する当業者のルーチン作業となることは理解されるであろう。
【００１９】
図４は、第１および第２のネットワーク４０５、４１０を含むシステム４００の一実施例を示す。第１および第２のネットワーク４０５、４１０内のデバイスは、それぞれ第１および第２のプロトコルに従ってメッセージを交換する。例示されている実施形態では、第１のネットワーク４０５は、Ｂｌｕｅｔｏｏｔｈプロトコルを使用して、ホット・スポット４２０などの地理的領域内の１つまたは複数の移動端末４１５との同時無線通信リンクを確立できるアクセス・ポイント４１０を含むＢｌｕｅｔｏｏｔｈネットワークである。例示されている実施形態では、第２のネットワーク４１０は、ユニバーサル移動電話システム（ＵＭＴＳ）プロトコルを使用して、セル４３０などの地理的領域内の移動端末４１５との同時無線通信リンクを確立できる基地局４２５を含む携帯電話ネットワークである。
【００２０】
わかりやすくするために、第１のネットワーク４０５はＢｌｕｅｔｏｏｔｈ対応ネットワークであり、第２のネットワーク４１０はＵＭＴＳネットワークであると仮定して本発明を説明する。ただし、当業者であれば、本発明は、第１のプロトコルが第２のプロトコルと異なる第１および第２のプロトコルに従ってそれぞれネットワーク４０５、４１０内のデバイス間でメッセージを交換できるさまざまな第１および第２のネットワーク４０５、４１０により実践できることを理解するであろう。例えば、第１のネットワーク４０５は、８０２．１１プロトコルの１つに従って動作し、第２のネットワーク４１０はＧｌｏｂａｌ  Ｓｙｓｔｅｍ  ｆｏｒ  Ｍｏｂｉｌｅ  Ｔｅｌｅｐｈｏｎｙ（ＧＳＭ）プロトコル、Ｐｅｒｓｏｎａｌ  Ｃｏｍｍｕｎｉｃａｔｉｏｎ  Ｓｙｓｔｅｍ（ＰＣＳ）プロトコル、Ｖｏｉｃｅ  ｏｖｅｒ  Ｉｎｔｅｒｎｅｔ  Ｐｒｏｔｏｃｏｌ（ＶｏＩＰ）などに従って動作することが可能である。
【００２１】
ネットワーク４０５、４１０は、インターフェイス４４０、４４５を介して、それぞれ、ネットワーク４３５に通信できるように結合される。さまざまな他の実施形態では、インターフェイス４４０、４４５は有線インターフェイス、無線（エア）インターフェイス、またはその２つの任意の組み合わせとすることができる。したがって、ネットワーク４０５、４１０は、さらに、インターフェイス４４０、４４５、およびネットワーク４３５を介して互いに通信できるように結合される。インターフェイス４４０、４４５は、共通のプロトコルに従ってメッセージを送信する。例えば、例示されている実施形態では、インターフェイス４４０、４４５は、ＵＭＴＳプロトコルに従ってメッセージを送信する。しかし、当業者であれば、本発明がＵＭＴＳプロトコルによりメッセージを送信するインターフェイス４４０、４４５に限定されないことを理解するであろう。さまざまな他の実施形態では、インターフェイス４４０、４４５は、望ましいプロトコルに従ってメッセージを送信することができる。さらに、さまざまな他の実施形態では、ネットワーク４３５は、限定はしないが、Ｐｌａｉｎ  Ｏｌｄ  Ｔｅｌｅｐｈｏｎｅ  Ｓｙｓｔｅｍ（ＰＯＴＳ）、携帯電話システム、衛星ネットワーク、公衆交換電話網（ＰＳＴＮ）、およびインターネット（例えば、Ｖｏｉｃｅ  ｏｖｅｒ  Ｉｎｔｅｒｎｅｔ  Ｐｒｏｔｏｃｏｌｓ（ＶｏＩＰ））を含む任意の望ましいタイプのネットワークとすることができる。さらに、ネットワーク４３５は、図１に示されていないさまざまな要素を含むことができる。例えば、ネットワーク４３５は、ルータ、ハブ、交換局、ネットワーク・コントローラなどを含むことができる。
【００２２】
ネットワーク４０５は、望ましい有線および／または無線接続によりアクセス・ポイント４１０に通信できるように結合されている基地局ルータ４５０を含む。基地局ルータ４５０は図４では単一のアクセス・ポイント４１０にしか接続されていないが、当業者であれば、基地局ルータ４５０は、望ましい任意の数のアクセス・ポイント４１０に結合することができることを理解するであろう。基地局ルータ４５０は、アクセス・ポイント４１０および／またはネットワーク４３５から受信した信号を修正して、第１および第２のプロトコルに従って移動端末４１５とネットワーク４３５との間の無線通信リンクを介してメッセージを送信するようにできる。例えば、基地局ルータ４５０ではメッセージを修正して、Ｂｌｕｅｔｏｏｔｈプロトコルに従ってアクセス・ポイント４１０とホット・スポット４２０内の移動端末４１５との間のエア・インターフェイス４６０で、またＵＭＴＳプロトコルに従ってインターフェイス４４０で、それらのメッセージを送信するようにできる。
【００２３】
図５は、コードレス電話スタック５００の一実施形態を概念的に例示している。コードレス電話スタック５００は、図４に示されている移動端末４１５で実装され、Ｂｌｕｅｔｏｏｔｈプロトコルおよび／またはＵＭＴＳなどの携帯電話プロトコルに従って１つまたは複数の無線通信リンクを形成することができる。当業者であれば、コードレス電話プロファイル・スタック５００のうち本発明に関係する要素のみがここで例示されていることを理解するであろう。動作時に、音声パケットは、音声パケットおよびその他の制御信号をＴｅｌｅｐｈｏｎｙ  Ｃｏｎｔｒｏｌ  ｐｒｏｔｏｃｏｌ  Ｓｐｅｃｉｆｉｃａｔｉｏｎ  Ｂｉｎａｒｙ（ＴＣＳ  Ｂｉｎ）ブロック５１０に供給する電話アプリケーション５０５により受信される。ＴＣＳ  Ｂｉｎブロック５１５は、セルラー制御スタック・ブロック５１５を含む。例示されている実施形態では、セルラー制御スタック・ブロック５１５は、ユニバーサル移動電話システム（ＵＭＴＳ）ブロック５１５である。しかし、当業者であれば、望ましい携帯電話制御スタックは、セルラー制御スタック・ブロック５１５を実装するために使用できることを理解するであろう。
【００２４】
ＵＭＴＳブロック５１５は、音声同期コントローラ５２５とのインターフェイス５２２およびリンク・マネージャ・プロトコル（ＬＭＰ）ブロック５３５とのインターフェイス５３０を介して音声チャネルを管理する。例えば、ＵＭＴＳブロック５１５は、インターフェイス５２５を介して音声同期コントローラ５２５に信号を送ることにより内部音声経路への接続および／または切断を行うことができ、インターフェイス５３０を介してリンク・マネージャ・プロトコル（ＬＭＰ）ブロック５３５に信号を送ることにより音声同期制御リンクを確立および／または解放することができる。一実施形態では、ＵＭＴＳブロック５１５は、さらに、移動端末内でアービトレーションを行う無線リソース管理および移動体管理（ＭＭ）層を備える。さまざまなエア・インターフェイスは、論理方式に似た報告をＵＭＴＳブロック５１５に送り、適切な代替エア・インターフェイスの存在を確認する。ＲＲＭ層は、自チップ・セットの物理層（図に示されていない）への代替エア・インターフェイスの品質測定のプロキシとなる。
【００２５】
リンク・マネージャ・プロトコル（ＬＭＰ）ブロック５３５は、非同期制御ブロック５３７に結合される。インターフェイス５２５、５３０を使用することにより、音声同期コントローラ５２５は、電話アプリケーション５０５からベースバンド５４５の同期コントローラ５４０への音声経路を直接制御することができる。一実施形態では、プロトコル弁別器５４５は、通常、それぞれの音声パケットにアタッチまたは付加される３ビット・プロトコル弁別器フィールド（ＰＤ）を使用して、ＴＣＳ  Ｂｉｎ  ５１０に供給される音声パケットの取り扱い方を決定する。Ｂｌｕｅｔｏｏｔｈ標準では、プロトコル弁別器フィールド（ＰＤ）に対し３つの値を明示的に定義している。例えば、プロトコル弁別器フィールド内の値０ｘ１は、グループ管理（ＧＭ）ブロック５５０でメッセージを処理することを示す。他の例では、プロトコル弁別器フィールド内の値０ｘ２は、コネクションレス（ＣＬ）ブロック５５５でメッセージを処理することを示す。プロトコル弁別器の他のすべての値は、Ｂｌｕｅｔｏｏｔｈ標準において予約されている。
【００２６】
図４を再び参照すると、ネットワーク４１０は、望ましい有線および／または無線接続により基地局４２５に通信できるように結合されている無線ネットワーク・コントローラ４５５を含む。無線ネットワーク・コントローラ４５５は図４では単一の基地局４２５にしか接続されていないが、当業者であれば、無線ネットワーク・コントローラ４５５は、望ましい任意の数の移動端末４１５との望ましい任意の数の同時無線通信リンクを確立および／または維持することができる望ましい任意の数の基地局４２５に結合できることを理解するであろう。当業者であれば、さらに、わかりやすくするために、無線ネットワーク・コントローラ４５５の動作の態様のうち本発明に関係する態様のみを本明細書で説明していることも理解するであろう。
【００２７】
無線ネットワーク・コントローラ４５５は、例えば、基地局４２５および／またはアクセス・ポイント４１０を介して移動端末４１５に無線アクセス・タイプを示す情報を送る。例えば、この情報は、認証手順の一部として提供することができる。一実施形態では、無線アクセス・タイプを示す情報は、表２に示されている情報要素などのＲＲＣ  ＭＥＡＳＵＲＥＭＥＮＴ  ＣＯＮＴＲＯＬメッセージの情報要素に含まれる。
【表２】
2006060834.tif 000004
【００２８】
ＡＳＩＮ.１標準では、一次ＣＰＩＣＨ制御要素の予想される範囲は、０から５１１までの整数である。予想範囲内の整数は、上述のように、ＵＭＴＳチャネルのスクランブル・コードを示す。しかし、ＡＳＩＮ．１標準は、情報要素への拡張を可能にするメッセージ定義のための拡張形式である。したがって、一実施形態では、一次ＣＰＩＣＨ制御要素は、さらに、予想される範囲外にある値も含むことができる。予想される範囲内にない値は、追加無線アクセス・タイプを示す。例えば、１０２４から１５３５までの間の情報要素の整数値は、Ｂｌｕｅｔｏｏｔｈ無線アクセス・タイプを示すことができる。他の例では、１５３６から２０４７までの間の情報要素の整数値は、８０２．１１無線アクセス・タイプを示すことができる。例示されている実施形態では、５１２から１０２３までの情報要素の整数値は、新しいシステム用に予約されている。しかし、当業者であれば、他の実施形態では、それぞれの無線アクセス・タイプに関連付けられている整数値の範囲は、望み通りに変更できることを理解するであろう。さらに、他の無線アクセス・タイプおよび／または障害条件を示す追加範囲も含めることができる。
【００２９】
無線ネットワーク・コントローラ４５５は、さらに、１つまたは複数のトリガ・イベントを示す情報も供給できる。例えば、無線ネットワーク・コントローラ４５５は、ソフト・ハンドオーバーの目的について他のエア・インターフェイス・タイプの検出などイベントをトリガすることを示す情報を提供することができる。一実施形態では、トリガ・イベントは、イベント１Ｃなどの論理イベントとすることができ、非アクティブなＣＰＩＣＨのサービス・パラメータの品質は、アクティブな一次ＣＰＩＣＨ、および／またはイベント１Ｄのサービス・パラメータの品質よりも高くなり、これは、最良のセルを変更することが望ましいことを示す。一実施形態では、（複数の）トリガ・イベントを示す情報が、ＲＲＣ  ＭＥＡＳＵＲＥＭＥＮＴ  ＣＯＮＴＲＯＬメッセージの情報要素に含まれる。図６は、ＲＲＣ  ＭＥＡＳＵＲＥＭＥＮＴ  ＣＯＮＴＲＯＬメッセージの情報要素「周波数内測定」でトリガ・イベントを構成するために使用できる経路６００の一実施例を示す。
【００３０】
無線ネットワーク・コントローラ４５５は、さらに、測定報告に含めることができる情報を示す情報を供給することができる。一実施形態では、測定報告に入れることができる情報を示す情報が、ＲＲＣ  ＭＥＡＳＵＲＥＭＥＮＴ  ＣＯＮＴＲＯＬメッセージの情報要素「セル報告量」で与えられる。表３は、セル報告量情報要素の一実施例を示す。例示されている実施形態では、「Ｃｈｏｉｃｅ  Ａｉｒ  Ｉｎｔｅｒｆａｃｅ  Ｄｅｔｅｃｔ」グループは、必須経路の一部である。「Ｃｈｏｉｃｅ  Ａｉｒ  Ｉｎｔｅｒｆａｃｅ  Ｄｅｔｅｃｔ」グループは、Ｂｌｕｅｔｏｏｔｈデータ、Ｂｌｕｅｔｏｏｔｈ  ＴＣＳ  Ｂｉｎ、８０２．１１（ａ）、および８０２．１１（ｂ）プロトコルに対応するエア・インターフェイスを検出しようとすることが望ましいことを示す情報要素を含む。これらの情報要素は論理値である。例えば、ＴＲＵＥのエントリは、無線ネットワーク・コントローラ４５５が、対応する情報要素を測定報告に含めるよう要求していることを意味する。図７は、ＲＲＣ  ＭＥＡＳＵＲＥＭＥＮＴ  ＣＯＮＴＲＯＬメッセージのセル報告量情報要素を構成するために使用できる経路７００の一実施例を示す。
【表３】
2006060834.tif 000005
【００３１】
移動端末４１５は、無線ネットワーク・コントローラ４５５により供給される情報、例えば、ＲＲＣ  ＭＥＡＳＵＲＥＭＥＮＴ  ＣＯＮＴＲＯＬメッセージ内の情報を受け取り、その後、この情報を使用して、１つまたは複数の測定を行うかどうかを決定する。一実施形態では、移動端末４１５は、提供される情報を使用して、１つまたは複数のエア・インターフェイスの存在を検出する。例えば、図４に示されているように、移動端末４１５は、ホット・スポット４２０がセル４３０と重なり合う領域にあってもよい。提供された情報に基づき、移動端末４１５は、測定を実行して、エア・インターフェイス４６０、４６５を検出する。例えば、移動端末４１５は、一次ＣＰＩＣＨ制御要素が予想範囲内にある、例えば、０から５１１までの間の整数であると判定した後に、ＵＭＴＳエア・インターフェイスを検出することができる。他の例では、移動端末４１５は、一次ＣＰＩＣＨ制御要素が予想される範囲内にない、例えば、範囲０から５１１の外にある整数であると判定した後に、Ｂｌｕｅｔｏｏｔｈエア・インターフェイスおよび／または８０２.１１エア・インターフェイスを検出することができる。
【００３２】
一実施形態では、移動端末４１５は、提供される情報を使用して、エア・インターフェイス４６０、４６５のうちの１つまたは複数のサービス品質（ＱｏＳ）を測定する。サービス品質測定は、存在の強さ（ｄＢ強度）、信号対雑音比、ビット誤り率、最大スループット率、平均スループット率、信頼度、優先度などの測定を含むことができる。例えば、移動端末４１５は、一次ＣＰＩＣＨ制御要素が予想範囲内にある、例えば、０から５１１までの間の整数であると判定した後に、ＵＭＴＳエア・インターフェイスに関連するＱｏＳを測定することができる。他の例では、移動端末４１５は、一次ＣＰＩＣＨ制御要素が予想される範囲内にない、例えば、範囲０から５１１の外にある整数であると判定した後に、Ｂｌｕｅｔｏｏｔｈエア・インターフェイスおよび／または８０２.１１エア・インターフェイスに関連するＱｏＳを測定することができる。
【００３３】
さまざまな所定のイベントが測定報告のトリガとなりうる。一実施形態では、移動端末４１５が、Ｂｌｕｅｔｏｏｔｈエア・インターフェイス、８０２.１１エア・インターフェイス、ＵＭＴＳエア・インターフェイス、ＧＳＭエア・インターフェイスなど新しいエア・インターフェイス４６０、４６５を検出した場合、検出イベントが測定報告のトリガになりうる。さらに、測定報告は、ＵＭＴＳ標準により定義されたトリガ・イベントによりトリガできる。わかりやすくするために、これらの知られている定義を、本明細書では繰り返さない。例えば、イベント・トリガ１Ｃは、アクティブなエア・インターフェイスのＱｏＳよりもよくなるアクティブ・セット内にないエア・インターフェイスのＱｏＳに対応する。他の例では、イベント・トリガ１Ｄは、現在利用可能な最もよいエア・インターフェイス（ＣＰＩＣＨ−１）のＱｏＳよりも高くなるエア・インターフェイスのＱｏＳを指す。一実施形態では、トリガ・イベントに含まれるエア・インターフェイスは、検出されたエア・インターフェイスのどれか、または全部を含む。それとは別に、測定は、循環的に、または他の所定の間隔で報告するようにできる。
【００３４】
トリガ・イベントの後、および／または所定の間隔で、移動端末４１５により実行される１つまたは複数の測定を示す情報が、ＲＲＣ  ＭＥＡＳＵＲＥＭＥＮＴ  ＲＥＰＯＲＴメッセージなどのメッセージで無線ネットワーク・コントローラ４５５に送信される。一実施形態では、移動端末４１５により実行される１つまたは複数の測定を示す情報は、表４に示されているようなセル測定結果情報要素で無線ネットワーク・コントローラ４５５に送信される。一実施形態では、トリガ・イベント報告を使用して、移動端末４１５により実行される１つまたは複数の測定を示す情報が、表５に示されているようなセル測定イベント結果情報要素で無線ネットワーク・コントローラ４５５に送信される。
【表４】
2006060834.tif 000006
【表５】
2006060834.tif 000007
【００３５】
新しいエア・インターフェイス４６０、４６５の存在を示す情報および／または新しく検出されたエア・インターフェイス４６０、４６５に関連するサービス品質は、移動端末４１５から無線ネットワーク・コントローラ４５５に送信することができる。例えば、表４に示されているセル測定結果情報要素および表５に示されているセル測定イベント結果情報要素は、新しく検出されたエア・インターフェイスを示す情報を伝達するために使用される新しいエア・インターフェイス情報要素を含む。例えば、表６に示されているように、新しいエア・インターフェイス情報要素は、アクセス・タイプ、一次ＣＰＩＣＨ情報、セル識別などを示す情報を含むことができる。
【表６】
2006060834.tif 000008
【００３６】
一実施形態では、無線ネットワーク・コントローラ４５５は、移動端末４１５により実行される１つまたは複数の測定を示す情報を使用して、移動端末４１５のソフト垂直ハンドオーバーを実行するかどうかを決定する。一実施例では、移動端末４１５は、最初に、エア・インターフェイス４６５、基地局４２５、無線ネットワーク・コントローラ４５５、およびインターフェイス４４５を介してネットワーク４３５に通信できるように結合される。しかし、移動端末４１５がエア・インターフェイス４６０を検出し、エア・インターフェイス４６０に関連するサービス品質がエア・インターフェイス４６５に関連するサービス品質よりも優れていることを示す情報を移動端末４１５が供給した場合、無線ネットワーク・コントローラ４５５は、エア・インターフェイス４６５からエア・インターフェイス４６０へのソフト垂直ハンドオーバーを開始することができる。一実施形態では、ソフト垂直ハンドオーバーは、Ｂｌｕｅｔｏｏｔｈネットワーク４０５とＵＭＴＳネットワーク４１０の間に置くことができる。それとは別に、無線ネットワーク・コントローラ４５５は、ｄＢ強度などの１つまたは複数の測定された存在強度パラメータに基づいてソフト垂直ハンドオーバーを開始することができる。
【００３７】
本発明では、異種の無線通信システムの存在を検出する方法を提供し、異種システム内に形成されたエア・インターフェイスに関連付けられたさまざまなパラメータを測定することにより、同種のシステムであるかのように、異種システムを制御し、識別することができる。このため、マスタ・システムの識別を介した制御アーキテクチャが簡素化される。無線システムが、ネットワークのネットワークというパラダイムが主要なパラダイムとなる可能性のある第４世代システムに進むと、このタイプの解決手段は、システムの複雑さを緩和する方法となる。例えば、上述のＵＭＴＳ  ＣＰＩＣＨ識別子の単純な分割および範囲拡張により、他の異種システムをＵＭＴＳネットワークに制限するだけでなく、システムを同質な方法で制御することができる。
【００３８】
上で開示されている特定の実施形態は、例示のみを目的として示されているのであり、本発明は異なるが同等の方法で修正し、実施することができるが、これは本明細書の教示を利用する当業者には明らかである。さらに、請求項で規定している場合を除き、本明細書に示されている構成または設計の詳細に制限を課す意図はない。したがって、上で開示されている特定の実施形態は改変または修正が可能であり、そのようなすべての変更は本発明の範囲および精神から逸脱しないとみなされることは明らかである。したがって、本明細書で求めている保護は、請求項の中で規定される。
【図面の簡単な説明】
【００３９】
【図１】ＲＲＣ  ＭＥＡＳＵＲＥＭＥＮＴ  ＣＯＮＴＲＯＬメッセージの従来の情報要素を通る経路を概念的に例示する図である。
【図２】ＲＲＣ  ＭＥＡＳＵＲＥＭＥＮＴ  ＲＥＰＯＲＴメッセージの従来の情報要素を通る経路を概念的に例示する図である。
【図３】ＣＰＩＣＨ測定品質の測定を概念的に例示する図である。
【図４】本発明による、第１および第２のネットワークを含むシステムの一実施例を示す図である。
【図５】本発明による、図４に例示されているシステム内で使用できるコードレス電話のプロファイル・スタックの一実施形態を概念的に例示する図である。
【図６】本発明による、ＲＲＣ  ＭＥＡＳＵＲＥＭＥＮＴ  ＣＯＮＴＲＯＬメッセージの情報要素「周波数内測定」でイベントのトリガを構成するために使用できる経路の一実施例を示す図である。
【図７】ＲＲＣ  ＭＥＡＳＵＲＥＭＥＮＴ  ＣＯＮＴＲＯＬメッセージのセル報告量情報要素を構成するために使用できる経路の一実施例を示す図である。
【図１】
2006060834.tif 000009
【図２】
2006060834.tif 000010
【図３】
2006060834.tif 000011
【図４】
2006060834.tif 000012
【図５】
2006060834.tif 000013
【図６】
2006060834.tif 000014
【図７】
2006060834.tif 000015